(57)【特許請求の範囲】
【請求項１】
記録媒体の各トラックのＩＤコードの所定領域に、画像信号がフィールド記録モードおよびフレーム記録モードのいずれによって記録されているかを示す情報を格納するための第１のフィールド／フレーム情報格納手段と、
前記ＩＤコードのユーザーズエリアに、１画面に対応する画像信号が複数のトラックにわたって記録されているか否かを示す情報を格納する識別情報格納手段と、
前記ユーザーズエリアに、画像信号がフィールド記録モードおよびフレーム記録モードのいずれによって記録されているかを示す情報を格納する第２のフィールド／フレーム情報格納手段とを備え、
前記識別情報格納手段が、１画面に対応する画像信号が複数のトラックにわたって記録されていることを示す情報を格納する時、前記第１のフィールド／フレーム情報格納手段は、フィールド記録モードを示す情報を格納し、前記第２のフィールド／フレーム情報格納手段は、画像信号がフィールド記録モードおよびフレーム記録モードのいずれによって記録されているかを示す情報を格納し、
前記第１のフィールド／フレーム情報格納手段に格納された情報は、分割画面を再生できるよう構成されていないスチルビデオ装置による再生のとき参照されることを特徴とするスチルビデオ装置。
【発明の詳細な説明】
【０００１】
【産業上の利用分野】
本発明は、１つの画面に対応した画像信号が複数のトラックに記録された磁気ディスク等の記録媒体を再生する、スチルビデオ装置に関する。
【０００２】
【従来の技術】
従来スチルビデオ装置は、入力される画像信号をＦＭ変調して記録するように構成されており、磁気ディスクのトラックに記録される信号の帯域は決められている。またこの帯域の広さは、ディスク装置の構造上の理由によって制限があり、無制限に大きくすることはできない。このため従来のスチルビデオ装置においては、高画質すなわち広帯域の画像信号をスチルビデオ装置に入力しても、画像の解像度には限界があり、特にこの画像をプリントアウトした場合に画質の低下が著しい。
【０００３】
そこで本出願人は、特願平３−２６８１０４号において、磁気ディスク等の記録媒体に記録される画像信号の帯域を変更することなく、高画質の画像を得ることを目的として、１つの画面に対応する画像信号を複数に分割してメモリに格納するとともに、この複数の画像信号の１つまたは全部の画像信号を、時間軸伸長させ記録媒体の複数のトラックに記録するスチルビデオ装置を提案した。
【０００４】
【発明が解決しようとする課題】
ところが、このように画像信号が分割して記録された複数のトラックと、画像信号が分割しないで記録されたトラックとが１つの記録媒体に混在している場合、これらのトラックの記録形態を識別しないと、画像信号を適切に再生することができない。また、画像信号を複数に分割して記録したトラックを有する記録媒体を、このようなトラックの再生に対処していないスチルビデオ装置によって再生すると、所定の画面が得られずフリッカーを伴った見苦しい画面が出力されてしまう。
【０００５】
本発明は、画像信号を複数に分割して記録したトラックと画像信号を分割しないで記録したトラックとが１つの記録媒体に混在していても、適切な再生を行って所定の画面を出力することができ、しかも、画像信号を複数に分割して記録したトラックを有する記録媒体を、このようなトラックの再生に対処していないスチルビデオ装置によって再生した場合であっても、所定の画面を出力することができるスチルビデオ装置を得ることを目的としている。
【０００６】
【問題を解決するための手段】
本発明に係るスチルビデオ装置は、記録媒体の各トラックのＩＤコードの所定領域に、画像信号がフィールド記録モードおよびフレーム記録モードのいずれによって記録されているかを示す情報を格納するための第１のフィールド／フレーム情報格納手段と、ＩＤコードのユーザーズエリアに、１画面に対応する画像信号が複数のトラックにわたって記録されているか否かを示す情報を格納する識別情報格納手段と、ユーザーズエリアに、画像信号がフィールド記録モードおよびフレーム記録モードのいずれによって記録されているかを示す情報を格納する第２のフィールド／フレーム情報格納手段とを備え、識別情報格納手段が、１画面に対応する画像信号が複数のトラックにわたって記録されていることを示す情報を格納する時、第１のフィールド／フレーム情報格納手段は、フィールド記録モードを示す情報を格納し、第２のフィールド／フレーム情報格納手段は、画像信号がフィールド記録モードおよびフレーム記録モードのいずれによって記録されているかを示す情報を格納することを特徴としている。
【０００７】
【実施例】
以下図示実施例により本発明を説明する。
図１は本発明の一実施例を適用したスチルビデオ装置の記録系のブロック図である。
【０００８】
システムコントロール回路１０はマイクロコンピュータであり、本スチルビデオ装置の全体の制御を行う。ディスク装置は、磁気ヘッド１１と、磁気ディスクＤを回転駆動するためのスピンドルモータ１２とを有する。磁気ヘッド１１は、システムコントロール回路１０によってトラッキング制御され、磁気ディスクＤの径方向に沿って変位する。スピンドルモータ１２は、システムコントロール回路１０によって駆動制御され、例えば３６００ｒｐｍの回転数で磁気ディスクＤを回転させる。磁気ディスクＤが回転している間、磁気ヘッド１１は磁気ディスクＤの所定のトラックに位置し、このトラックに画像信号およびＩＤコードを記録する。記録アンプ１３はシステムコントロール回路１０によって制御され、画像信号等を磁気ヘッド１１に出力する。なお、磁気ディスクＤは５２本のトラックを有し、最外周のトラックから内周側に数えて５０本のトラックに画像信号等の信号が記録される。
【０００９】
システムコントロール回路１０に接続された操作部１４は、本スチルビデオ装置を操作するために設けられる。なお、磁気ディスクＤに記録される画像に関するＩＤコード、すなわち記録モードおよび撮影日等のデータも、この操作部１４を介して入力される。
【００１０】
スチルビデオカメラ（図示せず）あるいは外部入力端子（図示せず）によって得られた高画質の画像信号は、水平同期信号Ｓを含んだＹ信号（輝度信号）、Ｐｒ信号（規格化された振幅を持った色差信号（Ｒ−Ｙ））およびＰｂ信号（規格化された振幅を持った色差信号（Ｂ−Ｙ））として本スチルビデオ装置に入力される。図中、入力信号に付された符号（Ｈ）は、これらの信号がＨＤＴＶ方式（例えばハイビジョンテレビ方式）によって得られたものであることを示している。なお、公知のように、Ｐｒ信号およびＰｂ信号は従来の色差信号よりも広い帯域を有しており、これにより画像信号における色の解像度が高められる。
【００１１】
Ｙ信号に含まれる同期信号Ｓは、同期信号分離回路２１によってＹ信号から分離され、メモリコントロール回路２２およびシステムコントロール回路１０に送られる。メモリコントロール回路２２は、同期信号Ｓに基づいて、ＡＤ変換器２３、２４、２５、Ｙメモリ２６、Ｐｒメモリ２７およびＰｂメモリ２８を制御する。またメモリコントロール回路２２は、後述する同期信号発生回路３４からの同期信号に基づいて、ＤＡ変換器３１、３２、３３、Ｙメモリ２６、Ｐｒメモリ２７およびＰｂメモリ２８を制御する。
【００１２】
同期信号Ｓを含んだＹ信号はＡＤ変換器２３によってＡＤ変換され、メモリコントロール回路２２の制御によって、２つの同期信号間に記録されたＹ信号がＹメモリ２６に格納される。同様に、Ｐｒ信号はＡＤ変換器２４によってＡＤ変換され、Ｐｒメモリ２７に格納される。またＰｂ信号はＡＤ変換器２５によってＡＤ変換され、Ｐｂメモリ２８に格納される。
【００１３】
Ｙメモリ２６、Ｐｒメモリ２７およびＰｂメモリ２８に格納されたＹ信号、Ｐｒ信号およびＰｂ信号は、同期信号発生回路３４から出力される同期信号（基準クロック信号）に基づいて、それぞれＤＡ変換器３１、３２、３３によってＤＡ変換される。Ｙ信号をＤＡ変換するための基準クロック信号は、Ｙメモリ２６にＹ信号を記録するために用いられる基準クロック信号と比較して、例えば１／４の周波数を有している。一方Ｐｒ信号およびＰｂ信号をＤＡ変換するための基準クロック信号は、Ｐｒメモリ２７およびＰｂメモリ２８にＰｒ信号およびＰｂ信号を記録するために用いられる基準クロック信号と比較して、例えば１／２の周波数を有している。ここで、Ｐｒメモリ２７およびＰｂメモリ２８の書込み時の基準クロック信号はＹ信号のそれの例えば１／２の周波数を有している。したがって、Ｙ信号、Ｐｒ信号およびＰｂ信号は各メモリ２６、２７、２８から、これらのメモリへの書込み時と比較して１／４あるいは１／２の速さで読み出されることとなり、これにより時間軸伸長される。
【００１４】
後述するノーマル記録の時、ＤＡ変換されたＹ信号はスイッチ３６を介して第１記録処理回路３５に入力され、またＤＡ変換されたＰｒ信号およびＰｂ信号はそれぞれスイッチ７１、７２を介して第２記録処理回路７３に入力される。ノーマル記録以外の時、ＤＡ変換されたＹ信号、Ｐｒ信号およびＰｂ信号はスイッチ３６を介して第１記録処理回路３５に入力される。スイッチ７１、７２はシステムコントロール回路１０によって制御され、ノーマル記録時、第２記録処理回路７３とＤＡ変換器３２、３３を接続し、ノーマル記録以外の時、これらを遮断する。またスイッチ３６もシステムコントロール回路１０によって切換制御される。
【００１５】
第１および第２記録処理回路３５、７３に入力された信号は、これらの回路３５、７３においてＦＭ変調等の処理を施される。また第１記録処理回路３５には、同期信号発生回路３４から同期信号が入力され、この同期信号は、ノーマル記録以外の時、Ｙ信号、Ｐｒ信号およびＰｂ信号に付加され、ノーマル記録時、Ｙ信号に付加される。
【００１６】
操作部１４およびシステムコントロール回路１０を介して入力されるＩＤコードは、ＩＤ記録処理回路３７においてＤＰＳＫ変調等の処理を施される。
【００１７】
ＤＰＳＫ変調されたＩＤコード、ＦＭ変調されたＹ信号、Ｐｒ信号およびＰｂ信号は、加算器３８によって重合され、記録アンプ１３によって増幅されて磁気ヘッド１１に送られる。ノーマル記録時、加算器３８では、ＩＤコードと、第１記録処理回路３５から入力されるＹ信号と、第２記録処理回路７３から入力されるＰｒ信号およびＰｂ信号とが重合される。ノーマル記録以外の時、加算器３８では、ＩＤコードと、第１記録処理回路３５から入力されるＹ信号、Ｐｒ信号およびＰｂ信号とが重合される。第２記録処理回路７３と加算器３８との間には、スイッチ７４が設けられ、このスイッチ７４はシステムコントロール回路１０によって制御され、ノーマル記録時は閉成し、ノーマル記録以外の時開放する。
【００１８】
加算器３８の出力信号（重合されたＩＤコード、Ｙ信号、Ｐｒ信号およびＰｂ信号）は、磁気ヘッド１１によって磁気ディスクＤの所定のトラックに記録される。このようにして磁気ディスクＤに記録された信号は、上述したように、本スチルビデオ装置に入力された信号に比して時間軸伸長されている。このように時間軸伸長して画像信号を磁気ディスクＤに記録するため、次に述べるように、入力画像は分割されてメモリ２６、２７、２８に格納される。
【００１９】
図２は、メモリ２６、２７、２８および磁気ディスクＤにおける画像信号の記録態様の一例を模式的に示す。この例は、高精細信号記録モードによって画像信号をメモリ２６、２７、２８および磁気ディスクＤに記録する場合を示している。ここで高精細信号記録モードとは、画像信号をフレーム記録モードによって記録し、またＹ信号、Ｐｒ信号およびＰｂ信号を画面に関して分割するとともに、それぞれ別のトラックに記録するモードをいう。すなわち１画面は第１フィールドと第２フィールドによって構成されており、Ｙ信号は１画面に関して４分割され、Ｐｒ信号およびＰｂ信号は１画面に関して２分割されて、それぞれメモリ２６、２７、２８に格納される。
【００２０】
Ｙ信号に関し、画面は、垂直方向に延びる中心線Ｅと水平方向に延びる中心線Ｆとによって４分割されている。第１フィールドの左上の画面に対応するＹ信号（Ｙ１  ）は、メモリの第１領域に格納され、右上の画面に対応するＹ信号（Ｙ２  ）は、メモリの第２領域に格納される。また第１フィールドの左下の画面に対応するＹ信号（Ｙ３  ）は、メモリの第３領域に格納され、右下の画面に対応するＹ信号（Ｙ４  ）は、メモリの第４領域に格納される。
【００２１】
Ｐｒ信号については、画面は水平方向に延びる中心線Ｇによって２分割されている。第１フィールドの上半分の画面に対応するＰｒ信号（Ｐｒ１  ）は、メモリの第５領域に格納され、下半分の画面に対応するＰｒ信号（Ｐｒ２  ）は、メモリの第６領域に格納される。Ｐｂ信号についても、画面は水平方向に延びる中心線Ｇによって２分割されており、第１フィールドの上半分の画面に対応するＰｂ信号（Ｐｂ１  ）は、メモリの第７領域に格納され、下半分の画面に対応するＰｂ信号（Ｐｂ２  ）は、メモリの第８領域に格納される。
【００２２】
第２フィールドについても同様に、左上、右上、左下および右下の画面に対応するＹ信号（Ｙ５  、Ｙ６  、Ｙ７  、Ｙ８  ）は、それぞれメモリの第９、１０、１１および１２領域に格納される。上半分および下半分の画面に対応するＰｒ信号（Ｐｒ３  、Ｐｒ４  ）は、それぞれメモリの第１３および１４領域に格納される。上半分および下半分の画面に対応するＰｂ信号（Ｐｂ３  、Ｐｂ４  ）は、それぞれメモリの第１５および１６領域に格納される。
【００２３】
これらの信号は、磁気ディスクＤ上では連続した１６個のトラックにそれぞれ記録される。すなわち、第１フィールドのＹ信号（Ｙ１  、Ｙ２  、Ｙ３  、Ｙ４  ）、第１フィールドのＰｒ信号（Ｐｒ１  、Ｐｒ２  ）、第１フィールドのＰｂ信号（Ｐｂ１  、Ｐｂ２  ）、第２フィールドのＹ信号（Ｙ５  、Ｙ６  、Ｙ７  、Ｙ８  ）、第２フィールドのＰｒ信号（Ｐｒ３  、Ｐｒ４  ）、第２フィールドのＰｂ信号（Ｐｂ３  、Ｐｂ４  ）の順に、外周側のトラックから内周側のトラックに向けて１トラックずつ連続的に記録される。
【００２４】
図３は、高精細信号記録モードによってＹ信号を磁気ディスクＤに記録する場合（図２参照）における、本スチルビデオ装置へ入力されるＹ信号と磁気ディスクＤに格納されるＹ信号との関係を示す。
【００２５】
高精細信号記録モードでは、画像信号はフレーム記録モードにより記録されているので、１つの画面に関し、第１および第２フィールドの画像信号が本スチルビデオ装置に入力される。１つのフィールドを構成する画像信号は多数の水平走査線Ｈから成り、１本の水平走査線Ｈに対応する画像信号は、図３に示すように２つの同期信号Ｓによって挟まれている。
【００２６】
上述したように、第１フィールドにおいて、左上、右上、左下および右下の画面に対応するＹ信号（Ｙ１  、Ｙ２  、Ｙ３  、Ｙ４  ）は、メモリ上では第１〜第４領域にそれぞれ格納される。メモリの第１〜第４領域に格納された画像信号は、それぞれ磁気ディスクＤの第１〜第４トラックに記録される。したがって、第１トラックには、左上の画面に対応するＹ信号（Ｙ１  ）が記録され、第２トラックには、右上の画面に対応するＹ信号（Ｙ２  ）が記録される。また第３トラックには、左下の画面に対応するＹ信号（Ｙ３  ）が記録され、第４トラックには、右下の画面に対応するＹ信号（Ｙ４  ）が記録される。第２フィールドについても同様である。なお本実施例の説明において、第Ｋトラックとは、磁気ディスクの最外周からＫ番目のトラックという意味ではなく、任意のトラックを基準とした相対的なトラック番号を意味する。
【００２７】
本スチルビデオ装置に入力されるＹ信号の帯域はｆＨ  であり、Ｙメモリ２６に書き込まれる時は、Ｙ信号は帯域ｆＨ  の状態にある。Ｙ信号はＹメモリ２６から読み出される時、４倍だけ時間軸伸長される。すなわち、磁気ディスクＤに記録されるＹ信号の帯域はｆＨ  ／４となる。磁気ディスクＤに記録される帯域は、ディスク装置の構造上の理由によって決まっており、それ以上に広帯域のＹ信号を記録することはできない。しかし本実施例では、Ｙ信号を画面に関して分割してＹメモリ２６に格納し、このＹ信号を時間軸伸長してＹメモリ２６から読み出し、磁気ディスクＤに所定の帯域で格納することができる。したがって、本スチルビデオ装置に入力されたＹ信号の帯域が磁気ディスクＤに記録されるＹ信号の帯域よりも広くても、入力されたＹ信号の内容をそのまま磁気ディスクＤに格納することができ、高画質のＹ信号は、その画質を維持しつつＹ信号を磁気ディスクＤに記録される。
【００２８】
図４は、高精細信号記録モードによってＰｒ信号を磁気ディスクＤに記録する場合（図２参照）における、本スチルビデオ装置へ入力されるＰｒ信号と磁気ディスクＤに格納されるＰｒ信号との関係を示す。
【００２９】
Ｐｒ信号については、第１フィールドにおいて、上半分および下半分の画面に対応するＰｒ信号（Ｐｒ１  、Ｐｒ２  ）は、メモリ上では第５〜第６領域にそれぞれ格納される。メモリの第５〜第６領域に格納された画像信号は、それぞれ磁気ディスクＤの第５〜第６トラックに記録される。
【００３０】
本スチルビデオ装置に入力されるＰｒ信号の帯域はｆＨ  ／２であり、Ｐｒメモリ２７に書き込まれる時は、Ｐｒ信号は帯域ｆＨ  ／２の状態にある。Ｐｒ信号はＰｒメモリ２７から読み出される時、２倍だけ時間軸伸長され、すなわち磁気ディスクＤに記録されるＰｒ信号の帯域はｆＨ  ／４となる。したがって、本スチルビデオ装置に入力されたＰｒ信号の帯域が磁気ディスクＤに記録されるＰｒ信号の帯域よりも広くても、入力されたＰｒ信号の内容をそのまま磁気ディスクＤに格納することができ、高画質のＰｒ信号は、その画質を維持しつつＰｒ信号を磁気ディスクＤに記録される。
【００３１】
Ｐｂ信号も、Ｐｒ信号と同様に、Ｐｂメモリ２８から読み出される時、書込み時と比較して２倍だけ時間軸伸長され、磁気ディスクＤの第７および第８トラックに記録される。
【００３２】
図５は、Ｙ信号を高精細信号記録モードによって磁気ディスクＤに記録するためのプログラムのフローチャートを示す。
Ｙ信号をＡＤ変換してＹメモリ２６に格納するためには、入力されたＹ信号の帯域の２倍以上の周波数でＹ信号をサンプリングしなければならない。このためステップ１０１では、メモリクロックが、入力されたＹ信号の帯域ｆＨ  の２倍以上の周波数ｆＳＨに設定される。このメモリクロックは、同期信号発生回路３４から出力される基準クロック信号に基づいて生成される。ステップ１０２では、このメモリクロックに基づいて、Ｙ信号がＡＤ変換されＹメモリ２６に書き込まれる。
【００３３】
次いでステップ１０３では、メモリクロックが、Ｙ信号のサンプリング周波数ｆＳＨの１／４の周波数ｆＳＬに設定される。ステップ１０４〜１０８では、この周波数ｆＳＬによって、Ｙメモリ２６のＹ信号がＤＡ変換されて磁気ディスクＤに記録される。すなわちＹ信号は、入力されたＹ信号に対し４倍だけ時間軸伸長されて、磁気ディスクＤに格納されることとなる。
【００３４】
ステップ１０４では、カウンタＮが「１」にセットされる。ステップ１０５では、磁気ヘッド１１がＫ１番目のトラックへトラッキングされる。そしてステップ１０６では、Ｙメモリ２６の第Ｎ領域に格納されているＹ信号が、周波数ｆＳＬのタイミングで読み出され、磁気ディスクＤに記録される。ステップ１０７ではカウンタＮが１だけインクリメントされ、ステップ１０８ではカウンタＮが「４」以下か否かが判別される。カウンタＮが「４」以下である場合、メモリ上の全ての領域のＹ信号の読み出しが終了していないため、ステップ１０９においてＫ１が１だけインクリメントされた後、ステップ１０５以下が再び実行される。これに対し、カウンタＮが「４」を越えている場合、メモリ上の全ての領域のＹ信号の読み出しが終了しており、このプログラムは終了する。
【００３５】
図６は、Ｐｒ信号を高精細信号記録モードによって磁気ディスクＤに記録するためのプログラムのフローチャートを示す。このプログラムは基本的に、Ｙ信号の磁気ディスクＤへの記録動作と同様であり、各ステップは、図５のフローチャートのステップに対応している。
【００３６】
図５と異なるステップのみを説明する。
ステップ２０２では、Ｐｒ信号がＡＤ変換されＰｒメモリ２７に書き込まれる。ステップ２０４ではカウンタＮが「５」にセットされ、ステップ２０５では磁気ヘッド１１がＫ２（＝Ｋ１＋４）番目のトラックへトラッキングされる。ステップ２０６では、Ｐｒメモリ２７の第Ｎ領域に格納されているＰｒ信号が、周波数ｆＳＬのタイミングで読み出され、磁気ディスクＤに記録される。ステップ２０８ではカウンタＮが「６」以下か否かが判別され、カウンタＮが「６」以下である場合、メモリ上の全ての領域のＰｒ信号の読み出しが終了していないため、ステップ２０９においてＫ２が１だけインクリメントされた後、ステップ２０５以下が再び実行され、カウンタＮが「６」を越えている場合、メモリ上の全ての領域のＰｒ信号の読み出しが終了しており、このプログラムは終了する。
【００３７】
図７は、Ｐｂ信号を高精細信号記録モードによって磁気ディスクＤに記録するためのプログラムのフローチャートを示す。このプログラムも基本的に、Ｙ信号の磁気ディスクＤへの記録動作と同様であり、各ステップは、図５のフローチャートのステップに対応している。
【００３８】
図５と異なるステップのみを説明する。
ステップ２１２では、Ｐｂ信号がＡＤ変換されＰｂメモリ２８に書き込まれる。ステップ２１４ではカウンタＮが「７」にセットされ、ステップ２１５では磁気ヘッド１１がＫ３（＝Ｋ２＋２）番目のトラックへトラッキングされる。ステップ２１６では、Ｐｂメモリ２８の第Ｎ領域に格納されているＰｂ信号が、周波数ｆＳＬのタイミングで読み出され、磁気ディスクＤに記録される。ステップ２１８ではカウンタＮが「８」以下か否かが判別され、カウンタＮが「８」以下である場合、メモリ上の全ての領域のＰｂ信号の読み出しが終了していないため、ステップ２１９においてＫ３が１だけインクリメントされた後、ステップ２１５以下が再び実行され、カウンタＮが「８」を越えている場合、メモリ上の全ての領域のＰｂ信号の読み出しが終了しており、このプログラムは終了する。
【００３９】
なお図５〜図７のプログラムは、第１フィールドの画像信号の記録動作を示しており、第２フィールドについても同様にして記録動作が行われる。ただし第２フィールドにおけるカウンタＮの初期値、すなわちステップ１０４、２０４、２１４におけるカウンタＮはそれぞれ９、１３、１５となる。
またＫ１，Ｋ２，Ｋ３の初期値は、記録モードおよびトラックの記録状況等により適宜設定されるものであるが、磁気ディスクが未記録であってフィールド記録の場合、Ｋ１＝１，Ｋ２＝５，Ｋ３＝７である。
【００４０】
磁気ディスクには、画像信号の他、画像信号に関するＩＤコード、すなわち記録モードおよび撮影日等のデータが格納される。図８は、このＩＤコードを記録するための磁気ディスクのトラック領域を示す。この図８において「Ｈ」は水平走査期間を示す。このＩＤコードの構成自体は従来公知のスチルビデオ装置において用いられるものと同じであり、ユーザーズエリアが設けられている。本実施例では、このユーザーズエリアを利用して、画面の分割、時間軸伸長、画像信号の読み出しの処理等を自動的に行うために必要な情報を記録するようになっている。
【００４１】
なお、このトラック領域において、ユーザーズエリア以外の部分には従来と同じ情報が格納されている。すなわち、イニシャルビットに隣接して設けられるフィールド／フレーム情報格納領域には、画像信号がフィールド記録モードおよびフレーム記録モードのいずれによって記録されているかを示す情報が格納されている。
【００４２】
ユーザーズエリアは、記録モードを示すために２ビット、フィールド／フレーム２の情報を示すために２ビット、トラッキング方向を示すために１ビット、先頭トラック番号を示すために７ビット、次トラック番号を示すために７ビット、構成画面番号を示すために４ビットがそれぞれ割り当てられており、未使用の領域が３１ビットある。これらの情報の内容について、図９〜図１６を参照して詳述する。
【００４３】
図９は記録モードに関する情報を示す。
「標準信号標準記録モード」とは、画面を分割しないで画像信号を磁気ディスクに記録する方法、すなわち従来のスチルビデオ装置と同じ記録方式（ノーマル記録）を意味し、また標準信号は、例えばＮＴＳＣ方式に従って生成された画像信号である。図１０は、「標準信号標準記録モード」における画像信号の記録態様を示しており、第１フィールドの画像信号（Ｙ１  、Ｐｒ１  、Ｐｂ１  ）はひとつのトラックに記録され、第２フィールドの画像信号（Ｙ２  、Ｐｒ２  、Ｐｂ２  ）は他のトラックに記録されている。この「標準信号標準記録モード」は２ビットを「００」にセットすることにより示される。
【００４４】
このモードでは、ＩＤコードのイニシャルビットに隣接して設けられたフィールド／フレーム情報格納領域に格納される記録モード信号に応じて、１画面の記録に用いられるトラック数が決定される。すなわち、この記録モード信号がフィールド記録モードを示している時、第１フィールドのみの画像信号が記録され、また記録モード信号がフレーム記録モードを示している時、第１および第２フィールドの画像信号が記録される。なお、このフィールド／フレーム情報格納領域には、「標準信号標準記録モード」以外の時、フィールド記録モードを示す情報が格納される。
【００４５】
「標準信号高精細記録モード」とは、画像信号の磁気ディスクへの記録において、画面を分割しないが、Ｙ信号とＰｒ信号およびＰｂ信号とを別のトラックに記録する方法（色信号別トラック記録）を意味する。図１１は、「標準信号高精細記録モード」における画像信号の記録態様を示しており、第１フィールドのＹ信号（Ｙ１  ）は第１トラックに記録され、第１フィールドのＰｒ信号（Ｐｒ１  ）とＰｂ信号（Ｐｂ１  ）は第２トラックに記録されている。また、第２フィールドのＹ信号（Ｙ２  ）は第３トラックに記録され、第２フィールドのＰｒ信号（Ｐｒ２  ）とＰｂ信号（Ｐｂ２  ）は第４トラックに記録されている。この「標準信号高精細記録モード」は、２ビットを「０１」にセットすることにより示される。
【００４６】
「高精細信号高精細記録モード」とは、図２〜図６を参照して上述したように、画像信号を画面に関して分割するとともに、それぞれ別のトラックにフレーム記録モードで記録するモードをいう。この「高精細信号高精細記録モード」は、２ビットを「１０」にセットすることにより示される。
【００４７】
「標準信号トラック分離フレーム記録モード」とは、画像信号を、画面を分割しないでフレーム記録モードにより磁気ディスクに記録する方法であるが、２つのフィールドの画像信号を連続しないトラックに記録する方法を意味する。すなわち、このモードでは、ノーマル記録と同様に（図１０）、ひとつのトラックにＹ信号（Ｙ１  ）、Ｐｒ信号（Ｐｒ１  ）、Ｐｂ信号（Ｐｂ１  ）が多重記録されているが、第１フィールドおよび第２フィールドの画像信号が相互に隣接していないトラックに記録可能である。この「標準信号トラック分離フレーム記録モード」は２ビットを「１１」にセットすることにより示される。
【００４８】
図１２は、フィールド／フレーム２の情報を示す。この情報は、記録モード（図９参照）が「標準信号標準記録モード」以外の時に参照され、画像信号がフィールド記録モードおよびフレーム記録モードのいずれによって記録されているかを示すものである。例えば図２に示す「高精細信号高精細記録モード」の場合、第１フィールドの画像信号を格納する第１〜第８トラックには、それぞれ「０１」がセットされ、第２フィールドの画像信号を格納する第９〜第１６トラックには、それぞれ「１０」がセットされる。また、画像信号がフィールド記録モードで記録される場合には、各トラックには、「００」がセットされる。
【００４９】
図１３は、トラッキング方向に関する情報を示す。この情報は、１つの画面の画像信号を格納した複数のトラックが磁気ディスクの外周から内周に向かって並んでいるのか、あるいは磁気ディスクの内周から外周に向かって並んでいるのかを意味する。例えば図２の例の場合、第１〜第１６トラックは磁気ディスクの外周から内周に向かって並んでいるため、各トラックには「０」がセットされている。
【００５０】
図１４は先頭トラック番号の情報を示す。この情報は、この情報が記録されたトラックと同じ画面を構成する他のトラックのうち、先頭の構成画面が記録された絶対トラック番号を示しており、上位３ビット（ＧＦＥ）によってトラック番号の１０位が表され、下位４ビット（ＤＣＢＡ）によってトラック番号の１位が表される。例えば図２の例において、第１トラック（Ｙ信号（Ｙ１  ）が記録されたトラック）の絶対トラック番号が「１６」である場合、このトラックと同じ画面を構成する他のトラックには全て「００１０１１０」（１０進法で１６）の先頭トラック番号情報が格納されている。
【００５１】
図１５は次トラック番号の情報を示す。この情報は、次の構成画面のある絶対トラック番号を示しており、上位３ビット（ＧＦＥ）によってトラック番号の１０位が表され、下位４ビット（ＤＣＢＡ）によってトラック番号の１位が表される。例えば図２の例において、第１トラック（Ｙ信号（Ｙ１  ）が記録されたトラック）の次トラック番号の情報が「０１１００１０」（１０進法で３２）の場合、第２トラック（Ｙ信号（Ｙ２  ）が記録されたトラック）の絶対トラック番号は、「３２」である。なお、この次トラック番号は、これが格納されたトラックに隣接するトラックの番号であるとは限らない。すなわち、離れたトラックに次の構成画面が記録されていることもある。
【００５２】
図１６は構成画面番号の情報を示す。この情報は、そのトラックに格納された画像信号がどの画面に対応するかを示すものであり、上位２ビット（ＤＣ）によって構成画面番号の１０位が表され、下位２ビット（ＢＡ）によって構成画面番号の１位が表される。例えば図２の例では、Ｙ信号（Ｙ１  ）が格納された第１トラックには「０００１」（１０進法で１）が記録され、Ｙ信号（Ｙ２  ）が格納された第２トラックには「００１０」（１０進法で２）が記録されている。
【００５３】
このような記録モード等の情報は、ＩＤ記録処理回路３７（図１）によってＤＰＳＫ変調されて磁気ディスクＤに記録される。またこれらの情報は、後述するように、ＤＰＳＫ復調されて磁気ディスクから読み出され、解読されて画像の再生のために使用される。
【００５４】
図１７は、磁気ディスクＤに画像信号等を記録するプログラムのフローチャートを示す。
【００５５】
ステップ３０１では、撮影者が操作部１４を操作することによって記録モードが選択され、これにより、記録モードを示す信号がシステムコントロール回路１０に入力される。また、後述するエンベロープ検波回路４３（図１８）から得られたエンベロープ検波信号の大きさに基づいて空きトラックが検出され、磁気ヘッド１１がこの空きトラックに移送される。
【００５６】
ステップ３０２では、記録モードがノーマル記録であるか否かが判断される。ノーマル記録である時、ステップ３０３において、ＩＤコードの記録モードが「００」に定められるとともに、ステップ３０４において、ノーマル記録すなわち通常のモードで画像信号が磁気ディスクＤに記録され、このプログラムは終了する。
【００５７】
ステップ３０２において、記録モードがノーマル記録でないと判断された場合、ステップ３０５以下が実行される。ステップ３０５では、ＩＤコードの記録モードが、標準信号高精細記録モードの時「０１」に、高精細信号記録モードの時「１０」に、標準信号トラック分離フレーム記録モードの時「１１」に、それぞれ定められる。次いでステップ３０６では、フィールド／フレーム情報格納領域には、フィールド記録モードを示す情報「００」が格納される。換言すれば、標準信号高精細記録モード、高精細信号記録モードおよび標準信号トラック分離フレーム記録モードのように、１画面に対応する画像信号が分割されて複数のトラックに記録されている時、フィールド／フレーム情報格納領域には、フィールド記録モードの情報が格納される。
【００５８】
ステップ３０７では、ＩＤコードの記録モードに応じて、フィールド／フレーム２の情報（図１２）が「００」、「０１」あるいは「１０」に定められる。すなわち、高精細信号記録モードの場合、画像信号がフィールド記録モードによって記録されている時は「００」が格納され、フレーム記録モードによって記録されている時は、第１フィールドのトラックには「０１」が格納され、第２フィールドのトラックには「１０」が格納される。一方、標準信号高精細記録モードおよび標準信号トラック分離フレーム記録モードの場合、第１フィールドのトラックには「０１」が格納され、第２フィールドのトラックには「１０」が格納される。
【００５９】
ステップ３０８では、分割画像の記録が行われる。この記録動作時、画像信号とともに、トラッキング方向の情報（図１３）、先頭トラック番号の情報（図１４）、次トラック番号の情報（図１５）、構成画面番号の情報（図１６）がＩＤコードのユーザーズエリアに格納される。なお、トラッキング方向は撮影者の操作によって予め定められ、先頭トラック番号はステップ３０１において定められている。また次トラック番号は、本実施例では、現在記録が行われているトラックに対してひとつ内周側に位置するトラックの番号であり、構成画面番号は図１４を参照して説明したように、記録モードおよび記録される画像信号等に応じて定められる。
【００６０】
ステップ３０９では、全画像信号の記録が終了したか否かが判断される。これは、記録モードの情報等に基づいて行われ、例えば標準信号高精細記録モードの場合、構成画面の数は１６であるので（図２参照）、１６のトラックへの記録が終了した時、全画像信号の記録が終了したと判断される。全画像信号の記録がまだ終了していない場合、ステップ３０７以下が再び実行される。
【００６１】
図１８はスチルビデオ装置の再生系のブロック図である。
システムコントロール回路１０、磁気ヘッド（再生ヘッド）１１、スピンドルモータ１２および操作部１４は図１に示す記録系にも含まれるものであり、すなわちこれらは記録系と再生系を兼ねている。
【００６２】
磁気ヘッド１１は磁気ディスクＤの所定のトラックに位置し、このトラックに記録されたＩＤコードおよび画像信号を再生する。再生アンプ４１は、磁気ディスクＤに記録された画像信号およびＩＤコードを読み出し、第１再生処理回路４２、エンベロープ検波回路４３、ＩＤ再生処理回路４４および第２再生処理回路７５に出力する。
【００６３】
ノーマル記録以外の時、第１再生処理回路４２は、同期信号を含んだＹ信号、Ｐｒ信号およびＰｂ信号をＦＭ復調して出力する。これに対し、ノーマル記録時、第１再生処理回路４２は同期信号を含んだＹ信号をＦＭ復調して出力し、第２再生処理回路７５はＰｒ信号およびＰｂ信号をＦＭ復調して出力する。ＦＭ復調されたＹ信号、Ｐｒ信号およびＰｂ信号は、ＡＤ変換器４７、７６、７７によってＡＤ変換される。ＡＤ変換器４７はＹメモリ５１に接続され、ＡＤ変換器７６、７７は、スイッチ７８、７９を介して、Ｐｒメモリ５２またはＰｂメモリ５３に接続される。スイッチ７８、７９は、システムコントロール回路１０の制御によって切り換えられ、ノーマル記録以外の時、Ｐｒメモリ５２およびＰｂメモリ５３をＡＤ変換器４７に接続し、ノーマル記録時、Ｐｒメモリ５２およびＰｂメモリ５３をＡＤ変換器７６、７７にそれぞれ接続する。
【００６４】
エンベロープ検波回路４３は、再生アンプ４１からの出力信号のエンベロープ検波信号を検出するものであり、これにより、再生されたトラックが空きトラックであるか否かが判定される。ＩＤ再生処理回路４４は、ＩＤコードをＤＰＳＫ復調して出力する。
【００６５】
Ｙ信号に含まれる同期信号Ｓは、同期信号分離回路４５によってＹ信号から分離され、メモリコントロール回路４６およびシステムコントロール回路１０に送られる。メモリコントロール回路４６は、同期信号Ｓに基づいて、ＡＤ変換器４７、７６、７７、Ｙメモリ５１、Ｐｒメモリ５２およびＰｂメモリ５３を制御する。またメモリコントロール回路４６は、後述する同期信号発生回路４８からの同期信号に基づいて、ＤＡ変換器５４、５５、５６、Ｙメモリ５１、Ｐｒメモリ５２およびＰｂメモリ５３を制御する。さらにメモリコントロール回路４６は、システムコントロール回路１０により制御され、ノーマル記録とノーマル記録以外とのそれぞれに対応してメモリ５１、５２、５３を制御する。
【００６６】
ノーマル記録以外の時、同期信号を含んだＹ信号は、第１再生処理回路４２から出力され、ＡＤ変換器４７によってＡＤ変換される。そして、メモリコントロール回路４６の制御によって、２つの同期信号間に記録されたＹ信号がＹメモリ５１に格納される。Ｙメモリ５１に格納されたＹ信号は、同期信号発生回路４８から出力される同期信号（基準クロック信号）に基づいて、ＤＡ変換器５４によってＤＡ変換される。同様に、Ｐｒ信号およびＰｂ信号は、第１再生処理回路４２から出力され、ＡＤ変換器４７によってＡＤ変換され、Ｐｒメモリ５２およびＰｂメモリ５３にそれぞれ格納される。Ｐｒ信号およびＰｂ信号は、基準クロック信号に基づいてＰｒメモリ５２およびＰｂメモリ５３から出力され、メモリコントロール回路４６の作用により、それぞれＤＡ変換器５５、５６に入力されてＤＡ変換される。
【００６７】
これに対し、ノーマル記録時、第１再生処理回路４２から出力され同期信号を含んだＹ信号が、ＡＤ変換器４７によってＡＤ変換され、２つの同期信号間に記録されたＹ信号がメモリコントロール回路４６の制御によってＹメモリ５１に格納される。Ｙメモリ５１に格納されたＹ信号は、同期信号発生回路４８から出力される同期信号（基準クロック信号）に基づいて、ＤＡ変換器５４によってＤＡ変換される。一方、Ｐｒ信号およびＰｂ信号は第２再生処理回路７５から出力され、それぞれＡＤ変換器７６、７７によってＡＤ変換される。そして、これらのＰｒ信号およびＰｂ信号は、スイッチ７８、７９を介して、Ｐｒメモリ５２およびＰｂメモリ５３にそれぞれ格納される。またＰｒ信号およびＰｂ信号は、基準クロック信号に基づいてＰｒメモリ５２およびＰｂメモリ５３から出力され、メモリコントロール回路４６の作用により、それぞれＤＡ変換器５５、５６に入力されてＤＡ変換される。なお、上述した同期信号発生回路４８は、システムコントロール回路１０により制御され、ノーマル記録とノーマル記録以外とのそれぞれに対応して発生する同期信号を切り換える。
【００６８】
Ｙメモリ５１からＹ信号を読み出す時に用いられる基準クロック信号は、Ｙ信号のメモリへの記録時に用いられる基準クロック信号と比較して、例えば４倍の周波数を有している。したがって、Ｙ信号はＹメモリ５１から高速で読み出されることとなり、これにより時間軸圧縮される。一方、Ｐｒメモリ５２およびＰｂメモリ５３からＰｒ信号およびＰｂ信号を読み出す時に用いられる基準クロック信号は、Ｐｒ信号およびＰｂ信号のメモリへの記録時に用いられる基準クロック信号と比較して、例えば２倍の周波数を有している。したがって、Ｐｒ信号およびＰｂ信号は、Ｐｒメモリ５２およびＰｂメモリ５３から高速で読み出されることとなり、これにより時間軸圧縮される。
【００６９】
ブランキングシンクミックス回路６１、６２、６３は、Ｙ信号、Ｐｒ信号およびＰｂ信号のそれぞれの前方の所定部分を０レベルの信号に定めるとともに、同期信号を重合させるために設けられる。このブランキングシンクミックス回路６１、６２、６３により、ＨＤＴＶ等の各方式に合致した、きれいな同期信号がこれらの信号の前に付加される。そしてブランキングシンクミックス回路６１、６２、６３から出力されるＹ信号、Ｐｒ信号およびＰｂ信号は、例えばＨＤＴＶ方式（例えばハイビジョンテレビ方式）に沿ったテレビジョン信号であり、図示しないディスプレイ装置へ直接入力される。
【００７０】
同期信号発生回路４８とブランキングシンクミックス回路６２、６３との間には、スイッチ８０が設けられている。このスイッチ８０は、システムコントロール回路１０によって切り換え制御され、ノーマル記録以外の時閉成し、ノーマル記録時開放する。すなわち、ノーマル記録時、Ｐｒ信号およびＰｂ信号には同期信号は付加されない。
【００７１】
磁気ディスクＤに格納されているＩＤコードは、ＩＤ再生処理回路４４においてＤＰＳＫ復調等の処理を施され、システムコントロール回路１０によって解読される。これにより、システムコントロール回路１０は記録モード等の情報を認識し、所定の画像を再生する。
【００７２】
図１９は、磁気ディスクＤに記録された画像信号等を再生するプログラムのフローチャートを示す。
【００７３】
ステップ４０１では、その時磁気ヘッド１１が位置しているトラックが再生され、このトラックに記録されているＩＤコードが解読される。すなわち、記録モード、フィールド／フレーム２、トラッキング方向、先頭トラック番号、次トラック番号および構成画面番号等の種々の情報が解読される。ステップ４０２では、記録モードが「００」であるか否かが判断される。記録モードが「００」の時、ステップ４０３において、通常のモードで画像信号が再生され、このプログラムは終了する。これに対し、記録モードが「００」ではない時、ステップ４０４以下において分割画像の再生が行われる。
【００７４】
ステップ４０４では、先頭トラック番号の情報、すなわち、そのトラックに記録されている画像信号と同じ画面を構成する他のトラックのうち、先頭の構成画面が記録された絶対トラック番号に従って、先頭トラックに磁気ヘッド１１がトラッキングされる。次いでステップ４０５では、トラッキング方向の情報に従って、磁気ヘッド１１がトラッキングされ、記録モードに応じた所定のトラックが再生されて、各トラックの画像信号がメモリ５１〜５３の所定の領域に格納される。ステップ４０６では、メモリ５１〜５３に格納されている画像信号が読み出され、ディスプレイ装置等のモニタに出力される。
【００７５】
したがって本実施例によれば、図２に示すような高精細信号記録モードによって画像信号が記録されたトラックと、標準信号標準記録モード（ノーマル記録）によって画像信号が記録されたトラックとが１つの磁気ディスクＤに混在していても、ＩＤコードの記録モードを識別することにより、適切な再生を行うことができる。
【００７６】
また、高精細信号記録モードによって記録されたトラックのＩＤコードのフィールド／フレーム情報格納領域には、フィールド記録モードを示す情報が格納されている。したがって、例えば高精細信号記録モードのトラックとノーマル記録のトラックとが混在している磁気ディスクＤを、通常のスチルビデオ装置、すなわち分割画面を再生できるように構成されていないスチルビデオ装置で再生すると、高精細信号記録モードによって記録されたトラックについては、ひとつのトラックのみが再生されるため、例えば左上の画面だけが白黒で表示され、またノーマル記録によって記録されたトラックについては１画面が表示されることとなる。すなわち、高精細信号記録モードによって記録されたトラックの場合、フリッカーのない画面が表示され、トラックに記録された画面の内容が識別可能となる。
【００７７】
なお、上記実施例は磁気ディスクＤに画像信号等を記録するように構成されていたが、記録媒体は磁気ディスクに限定されない。
【００７８】
また本発明は、１画面を複数の画面に分割して記録する構成に限定されるものではなく、１画面の画像信号を多数のトラックの記録する構成にも適用することができる。
【００７９】
【発明の効果】
以上のように本発明によれば、画像信号を複数に分割して記録したトラックと画像信号を分割しないで記録したトラックとが１つの記録媒体に混在していても、適切な再生を行って所定の画面を出力することができ、しかも、画像信号を複数に分割して記録したトラックを有する記録媒体を、このようなトラックの再生に対処していないスチルビデオ装置によって再生した場合であっても、所定の画面を出力することができる。
【図面の簡単な説明】
【図１】本発明の一実施例を適用したスチルビデオ装置の記録系のブロック図である。
【図２】メモリおよび磁気ディスクに格納された画像信号の記録態様の１例を模式的に示す図である。
【図３】スチルビデオ装置へ入力されるＹ信号と磁気ディスクに格納される画像信号との関係の１例を示す図である。
【図４】スチルビデオ装置へ入力されるＰｒ信号と磁気ディスクに格納される画像信号との関係の１例を示す図である。
【図５】Ｙ信号をメモリに格納し、時間軸伸長させて磁気ディスクに記録するプログラムを示すフローチャートである。
【図６】Ｐｒ信号をメモリに格納し、時間軸伸長させて磁気ディスクに記録するプログラムを示すフローチャートである。
【図７】Ｐｂ信号をメモリに格納し、時間軸伸長させて磁気ディスクに記録するプログラムを示すフローチャートである。
【図８】ＩＤコードを記録するための磁気ディスクのトラック領域を示す図である。
【図９】記録モードに関する情報の信号を示す図である。
【図１０】標準信号標準記録モードにおける、メモリに格納された画像信号の記録態様を模式的に示す図である。
【図１１】標準信号高精細記録モードにおける、メモリに格納された画像信号の記録態様を模式的に示す図である。
【図１２】フィールド／フレーム２に関する情報の信号を示す図である。
【図１３】トラッキング方向に関する情報の信号を示す図である。
【図１４】先頭トラック番号に関する情報の信号を示す図である。
【図１５】次トラック番号に関する情報の信号を示す図である。
【図１６】構成画面番号に関する情報の信号を示す図である。
【図１７】画像信号を記録するプログラムのフローチャートである。
【図１８】本発明の一実施例を適用したスチルビデオ装置の再生系のブロック図である。
【図１９】磁気ディスクに記録された画像信号を再生するプログラムのフローチャートである。
【符号の説明】
Ｄ  磁気ディスク（記録媒体）
【図１】
0003548206.tif 000002
【図２】
0003548206.tif 000003
【図３】
0003548206.tif 000004
【図４】
0003548206.tif 000005
【図５】
0003548206.tif 000006
【図６】
0003548206.tif 000007
【図７】
0003548206.tif 000008
【図８】
0003548206.tif 000009
【図９】
0003548206.tif 000010
【図１０】
0003548206.tif 000011
【図１１】
0003548206.tif 000012
【図１２】
0003548206.tif 000013
【図１３】
0003548206.tif 000014
【図１４】
0003548206.tif 000015
【図１５】
0003548206.tif 000016
【図１６】
0003548206.tif 000017
【図１７】
0003548206.tif 000018
【図１８】
0003548206.tif 000019
【図１９】
0003548206.tif 000020